(57)【要約】      （修正有）【課題】高価で複雑な装置を用いず、固体と液体が混在した状態のものから液体のみを効率的に吸引することができる装置を提供する。【解決手段】吸引管１の先にガイド２を取り付けた。ガイド２にはガイド２の側面部に孔３を４つ有しており、それぞれの孔の大きさは吸引管１の内径断面積に対し１．８倍になるようにした。さらに、このガイド２の周りにネット４を取り付けた。【選択図】図１
0003173807.tif 000002
【実用新案登録請求の範囲】
【請求項１】
吸引管の先に前記吸引管内径断面積に対し０．５〜３．０倍の表面積を有する孔を複数個設けたガイドを装着してなる液体吸引装置。
【請求項２】
前項記載のガイドの周りに固体吸い込み防止用のネットを取り付けたことを特徴とする請求項１記載の液体吸引装置。
【考案の詳細な説明】
【技術分野】
【０００１】
本考案は、高価で複雑な装置を用いず、固体と液体が混在した状態のものから液体のみを吸引するための装置に関する考案である。
【背景技術】
【０００２】
食品生産現場や化学工場等において、固体と液体が混在した状態のものから、液体のみを吸引により除去するという操作は良く実施されている。これらの作業において、弾力性がなく、固体が液体に対し十分比重が大きい場合、固体を吸い込まないようにする為、固体の粒径より小さなネット状のものを先に付けた吸引管で吸引することにより液体だけを吸引することが可能である。
【０００３】
しかしながら、固体と液体の比重差が小さく、さらにはゼリーやこんにゃくのように弾力性を有した固体の場合、前述の方法によれば、吸引中に固体が吸引口に密集し、弾力性の有る固体により吸引口が塞がれ、ついには吸引作業ができなくなってしまうことが判明した。吸引口が塞がれた場合、負圧となっている吸引管を一旦加圧とすることで、弾力性のある固体を吸引口から引き離す事が可能であるが、その作業による時間的ロスは無視できないものであった。
【０００４】
吸入口が１つの場合において、異物等の詰まりによる液体の吸引の阻害を防止する方法としては、複数個の吸引口を有し、更にこれらの口の先に吸引口の断面積に比べ圧倒的に小さな孔を複数有することを特徴とする液体吸引装置に関する方法が開示されている。（特許文献１）
【０００５】
【特許文献１】実開昭５８−２１８６０号公報
【考案の開示】
【考案が解決しようとする課題】
【０００６】
しかしながらこの方法を本考案の条件に適用した所、吸引口の断面積に比べ圧倒的に小さい孔が複数個均一に存在していることから、弾力性のある固体が孔全体を覆うような形で吸いつけられ、かえって吸引管が詰まりやすいという問題点が判明した。さらには孔を詰めた固体を除去する際、通常の吸引管に比べ、かなり大きな圧力をかけなければ詰まった固体を除去できないという問題も判明した。
【課題を解決するための手段】
【０００７】
本考案は、これらの問題を解決する為、吸引管の先に吸引管の断面積と比べはるかに小さい孔を複数個設けるのでなく、吸引管内径断面積とそれほど差異のない孔を複数個有したガイドを設けることを特徴とする液体吸引装置に関する考案である。
【考案の効果】
【０００８】
本考案の液体吸引装置によれば、比重差の大きい固体と液体の混合物における液体の吸引だけでなく、固体と液体の比重差が小さく、さらには、例えばゼリーやこんにゃくのように弾力性を有した固体であったとしても、前記固体により吸引管が詰まる確率を低減させ、固体と液体の混合物における液体の吸引作業の効率化を図ることができる。さらに、固体が詰まった際も、大きな圧力を必要とせずに詰まった固体を除去可能であるという特徴も有している。
【考案を実施するための最良の形態】
【０００９】
本願考案が適用される吸引管は液体を吸引する構造を有する吸引管であればどのような形でも良い。またその材質も、金属や樹脂等、液体の特性に合わせ適宜選択できる。
【００１０】
本考案で使用するガイドは吸引管の先に装着することができる構造を有し、かつ前記吸引管内径断面積に対し０．５〜３．０倍の表面積を有する孔を複数有している。孔の表面積が吸引管内径断面積に対し０．３倍より小さい場合、固体と液体が混在し、かつ弾力性を有している固体の存在下で液体を吸引する場合、孔が詰まりやすくなる傾向がある。３．０倍より大きい場合、大きな固体を吸い込みやすくなり、その大きな固体が吸引管を閉塞させる恐れがあり好ましくない。また、孔の数は複数個あればよく、２個以上、１０個未満が好ましく、さらには２個以上、５個未満がより好ましい。孔が１個の場合、吸引管そのもので吸引するのと効率が変わらず、１０個より多くしようとした場合、ガイドを大きくする必要があり、投入や設置スペースを大きくする必要が生じるとともに、装置そのものも高価なるおそれがある。
【００１１】
ガイドの材質は金属や樹脂等、液体の特性に合わせ適宜選択できる。また、その大きさも孔の数や大きさに合わせて適宜選択できるが、大きくなりすぎる場合、吸引管とガイドの出し入れやに問題が発生したり、吸引に必要な力が大きくなってしまうおそれがある。
【００１２】
液体と固体が混在している系で、さらに固体が弾力性を有する場合は、ガイドの孔から吸引管へ直接固体が吸い込まれ、吸引管の吸引口部分で固体が詰まることで、本考案の効果が発現しない場合がありうる。このような場合、ガイドの周りに、固体が通過しない程度の孔を有したネット状のものを取り付けることが好ましい。ネットを取り付けることでガイドの孔から固体が吸い込まれることを回避でき、ネット状のものを取り付けた際も、本考案の示す構造とすれば、ネット状のものを取り付けないものと同様の吸引効率を発現する。
【００１３】
本考案が適用できる例としては、液体と固体が混合した状態のものから液体を吸引する場合に使用する。しかしながら、本考案は、液体と固体が混在している系で、さらに固体が弾力性を有する場合において本考案の効果が最も良く発現する。なお、弾力性を有する固体とは、例えばゼリーやこんにゃくのように、加えた力により任意に変形しうる固体のことを指し示す。
【００１４】
以上詳述したように本考案の液体吸引装置を用いる事によって、吸引管単独で液体と固体が混合した状態のものから液体を吸引する場合に比べ、効率的に液体を吸引することができる。特に固体と液体が混在し、固体が弾力性を有する場合の状態のものから液体のみを吸引する場合に効果的である。
【図面の簡単な説明】
【００１５】
【図１】本考案の液体吸引装置の具体的一実施例の正面図である。
【実施例】
【００１６】
以下添付図に従って、一実施例を説明する。本考案の液体吸引装置は、例えば図１に示す通り、吸引管１の先にガイド２を取り付けた。ガイド２にはガイド２の側面部に孔３を４つ有しており、それぞれの孔の大きさは吸引管１の内径断面積に対し１．８倍になるようにした。さらに、このガイド２の周りにネット４を取り付けた。このような形状を有するガイド２を吸引管１に取り付けたことにより、弾力性の有る固体と液体が混合した状態で液体を吸引した所、従来の吸引管１のみで吸引した場合に比べ詰まる頻度が低下し、液体を効率的に吸引することが可能となった。
【符号の説明】
【００１７】
１                    ：吸引管
２                    ：ガイド
３                    ：孔
４                    ：ネット
【図１】
0003173807.tif 000003